(57)【要約】本発明は、一般的に文書保護方法及び製品に関する。より具体的には、本発明は、潜在的イメージ又はメッセージによって文書の情報をマスキングする方法に関する。これは、肉眼では実際に見えず、合致するビューイングデバイスの使用を通してのみ、明らかになる。更に、本発明は、ビューイングデバイスによって読む場合に見える潜在的メッセージを含むオリジナルの文書を作成するための方法に関する。一の実施例では、ライン、ドット、スポット、渦、又はイメージ等の印刷エレメントを用いて秘密情報を形成する。秘密情報印刷エレメントは、背景の印刷エレメントに対してある角度で配置され、秘密文書を作成する。別の実施例では、秘密情報の印刷エレメントは、無地の背景と共に用いられる。【選択図】なし【特許請求の範囲】
【請求項１】
秘密文書システムを提供する方法において、当該方法が：
背景を具える第１の印刷構造を作成するステップと；
秘密情報を具える第２の印刷構造を作成するステップと；
前記第１の印刷構造と前記第２の印刷構造とを組み合わせることによって前記秘密情報をマスキングするステップと；
を具え、前記秘密情報が肉眼で実質的に視認できないように表示され、前記秘密情報が専用ビューイングデバイスを用いて視認できるように表示されることを特徴とする方法。
【請求項２】
請求項１に記載の秘密文書システムにおいて、前記背景及び前記秘密情報が、送信、コピィ、又はその他の出力デバイスを用いて成功裏に再生可能であり、前記秘密情報が肉眼で実質的に視認できないように表示され、前記秘密情報が専用ビューイングデバイスを用いて視認できるように表示されることを特徴とするシステム。
【請求項３】
請求項１に記載の方法において、前記第１の印刷構造が第１の軸を有する第１の複数の印刷エレメントを具え、前記第２の印刷構造が第２の軸を有する第２の複数の印刷エレメントを具え、前記第１の軸が、前記第２の軸に対してある角度で配置されることを特徴とする方法。
【請求項４】
請求項３に記載の方法において、前記第１及び第２の複数の印刷エレメントが、ドット、スポット、ライン、渦、又はイメージを単独で又は組み合わせて具えることを特徴とする方法。
【請求項５】
請求項４に記載の方法において、前記第１の複数の印刷エレメント及び前記第２の複数の印刷エレメントのサイズが実質的に等しいことを特徴とする方法。
【請求項６】
請求項４に記載の方法において、前記第１の複数の印刷エレメント及び前記第２の複数の印刷エレメントの密度が実質的に等しいことを特徴とする方法。
【請求項７】
請求項１に記載の方法において、前記専用ビューイングデバイスが、実質的に透明か、色が付いているか、又は線が引かれている基板を具えることを特徴とする方法。
【請求項８】
請求項１に記載の方法において、前記専用ビューイングデバイスが、スキャナを具えることを特徴とする方法。
【請求項９】
請求項１に記載の方法において、前記専用ビューイングデバイスが、使用後に容易に破壊できることを特徴とする方法。
【請求項１０】
請求項１に記載の方法において、前記秘密情報をマスキングするステップが、ハードウェア、ソフトウェア、又はファームウェアを単独で又は組み合わせて用いることによって達成されることを特徴とする方法。
【請求項１１】
請求項１に記載の方法が、前記第２の印刷構造に印刷コードを挿入するステップを更に具えることを特徴とする方法。
【請求項１２】
請求項１に記載の方法において、前記背景が無地のティントを具えることを特徴とする方法。
【請求項１３】
請求項１２に記載の方法において、前記秘密情報を作成するステップが、秘密情報のアウトラインを選択するステップと、複数の印刷エレメントで前記秘密情報のアウトラインを満たすステップを具えることを特徴とする方法。
【請求項１４】
請求項１３に記載の方法において、前記印刷エレメントが、複数のドット、スポット、ライン、又はイメージを単独で又は組み合わせて具えることを特徴とする方法。
【請求項１５】
請求項１に記載の方法において、前記秘密情報が、コピィ、送信、又は出力デバイスによって再生した後に視認できないことを特徴とする方法。
【請求項１６】
請求項１に記載の方法において、前記背景及び前記秘密情報が、反対色のティントを具えることを特徴とする方法。
【請求項１７】
秘密文書システムにおいて、当該秘密文書システムが：
背景を有する文書と；
前記背景中に配置されたある量の秘密情報であって、実質的に肉眼で視認できないように表示されている秘密情報と；
前記秘密情報専用のビューイングデバイスと；
を具えることを特徴とする秘密文書システム。
【請求項１８】
請求項１７に記載の秘密文書システムにおいて、前記ビューイングデバイスを使用して視認可能である前記ある量の秘密情報と共に、前記ある量の秘密情報が、送信、コピィ、又は出力デバイスを用いて成功裏に再生できることを特徴とする秘密文書システム。
【請求項１９】
請求項１７に記載の秘密文書システムにおいて、前記背景が、第１の軸を一般的に規定する第１の複数の印刷エレメントを具え、前記ある量の秘密情報が、第２の軸を一般的に規定する第２の複数の印刷エレメントを具え、前記第１の軸が、前記第２の軸に対してある角度で配置されていることを特徴とする秘密文書システム。
【請求項２０】
請求項１９に記載の秘密文書システムにおいて、前記第１及び第２の複数の印刷エレメントが、ドット、スポット、ライン、渦、又はイメージを単独で又は組み合わせて具えることを特徴とする秘密文書システム。
【請求項２１】
請求項２０に記載の秘密文書システムにおいて、前記第１の及び第２の複数の印刷エレメントのサイズが実質的に等しいことを特徴とする秘密文書システム。
【請求項２２】
請求項２０に記載の秘密文書システムにおいて、前記第１の複数の印刷エレメント及び前記第２の複数の印刷エレメントの密度が実質的に等しいことを特徴とする秘密文書システム。
【請求項２３】
請求項１７に記載の秘密文書システムにおいて、前記秘密情報が、箔画像を覆う所定のライン、ドット、スポット、渦、又はイメージを具えることを特徴とする秘密文書システム。
【請求項２４】
請求項１７に記載の秘密文書システムにおいて、前記ビューイングデバイスが実質的に透明な、色付けされた、又は線を引いた基板を具えることを特徴とする秘密文書システム。
【請求項２５】
請求項１７に記載の秘密文書システムにおいて、前記ビューイングデバイスがスキャナを具えることを特徴とする秘密文書システム。
【請求項２６】
請求項１７に記載の秘密文書システムにおいて、前記ビューイングデバイスが使用後に容易に破壊できることを特徴とする秘密文書システム。
【請求項２７】
請求項１７に記載の秘密文書システムにおいて、前記ビューイングデバイスが頻度が異なるか、又は異なる印刷エレメントを用いた複数の区別された視界領域を具えることを特徴とする秘密文書システム。
【請求項２８】
請求項１７に記載の秘密文書システムにおいて、前記秘密情報が、ハードウェア、ソフトウェア、又はファームウェアを用いて単独で又は組み合わせて作成されることを特徴とする秘密文書システム。
【請求項２９】
請求項１７に記載の秘密文書システムにおいて、前記背景が無地のティントを具え、前記秘密情報が複数の印刷エレメントを具えることを特徴とする秘密文書システム。
【請求項３０】
請求項２９に記載の秘密文書システムにおいて、前記秘密情報が、前記複数の印刷エレメントで満たされた秘密情報アウトラインを具えることを特徴とする秘密文書システム。
【請求項３１】
請求項３０に記載の秘密文書システムにおいて、前記印刷エレメントが、複数のドット、スポット、ライン、渦、又はイメージを個別に又は組み合わせて具えることを特徴とする秘密文書システム。
【請求項３２】
請求項３１に記載の秘密文書システムにおいて、前記秘密文書がコピィ、送信、又は、出力デバイスによって成功裏に再生することが不可能であることを特徴とする秘密文書システム。
【請求項３３】
請求項３２に記載の秘密文書システムにおいて、前記出力デバイスがカラースキャナ又はカラープリンタを具えることを特徴とする秘密文書システム。
【請求項３４】
請求項１７に記載の秘密文書システムにおいて、前記背景と前記ある量の秘密情報が反対色のティントを具えることを特徴とする秘密文書システム。
【請求項３５】
請求項１７に記載の秘密文書システムにおいて、前記ビューイングデバイスが、使用後に容易に破壊できることを特徴とする秘密文書システム。
【請求項３６】
請求項１７に記載の秘密文書システムが、前記第２の印刷構造内に配置した印刷コードを更に具えることを特徴とする秘密文書システム。
【請求項３７】
秘密文書システムを提供する方法において、当該方法が：
文書を提供するステップと；
前記文書に配置された背景を作成するステップと；
前記背景内である量の秘密情報を作成するステップであって、前記ある量の秘密情報が実質的に肉眼で視認できないステップと；
を具え、
前記ある量の秘密情報に合致するビューイングデバイスが、前記ある量の秘密情報が見えるようにすることを特徴とする方法。
【請求項３８】
請求項３７に記載の方法において、前記背景及び前記ある量の秘密情報が、前記ビューイングデバイスによって視認されるまで、前記ある量の秘密情報を明らかにすることなく、送信、コピィ、又は出力デバイスによって成功裏に再生できることを特徴とする方法。
【請求項３９】
請求項３８に記載の方法が、第１のユーザから第２のユーザに前記背景及び前記ある量の秘密情報を送信するステップを更に具え、前記第２のユーザが前記背景内に前記ある量の秘密情報を配置することを特徴とする方法。
【請求項４０】
請求項３９に記載の方法が、第３のユーザに対して前記背景及び前記ある量の秘密情報を送信するステップを更に具え、前記第３のユーザが前記ビューイングデバイスを用いて前記秘密情報を視認することを特徴とする方法。
【請求項４１】
請求項３９に記載の方法が：
前記背景内に配置された第２の量の秘密情報を作成するステップと；
第２のユーザに対して前記背景と前記第２の量の秘密情報を送信するステップと；
前記第２の量の秘密情報と合致する第２ビューイングデバイスを提供するステップと；
を更に具え、前記第２のユーザが、前記第２のビューイングデバイスを用いて前記第２の量の秘密情報を視認することを特徴とする方法。
【請求項４２】
請求項３８に記載の方法が；
第２の背景内に配置される第２の量の秘密情報を作成するステップと；
前記第２の背景及び前記第２の量の秘密情報を第２のユーザに送信するステップと；
前記第２の量の秘密情報と合致する第２のビューイングデバイスを提供するステップと；
を更に具え、前記第２のユーザが、前記第２のビューイングデバイスを用いて、前記第２の量の秘密情報を視認することを特徴とする方法。
【請求項４３】
請求項３７に記載の方法において、前記ビューイングデバイスが、前記出力デバイスによって送信されることを特徴とする方法。
【発明の詳細な説明】
【技術分野】
【０００１】
関連出願
本出願の優先権は２００５年８月１日に出願された米国暫定特許出願第６０／７０３，８６０号、及び米国暫定特許出願第６０／７９４，８２６号を基礎とする。
【０００２】
本発明の分野
本発明は、一般的に、文書保護方法及び製品に関する。より具体的には、本発明は、実際には肉眼では視認できず、合致するビューイングデバイスを通してのみ明らかになる潜在的イメージやメッセージによって、文書中の情報をマスキングする方法に関する。更に、本発明は、専用ビューイングデバイスによって読む場合に明らかになる潜在的メッセージを含むオリジナル文書を作製する方法に関する。
【０００３】
本発明の背景
セキュリティ文書は、従来は凸版印刷、オフセット印刷又は凹版印刷で作成されてきた。現在では、インターネット上で印刷する及びプリンタで出力するセキュリティ文書だけでなく、一般的な安全対策及び個人の「隠された」情報を含むチケットやクーポンを遠隔で印刷する能力も求められている。
【０００４】
加えて、この要求は、無地の印刷領域用のセキュリティイメージに対してもある。従来は、ほとんどのセキュリティティントは、通常密度が５０％超えないドット及びラインでできたスクリーンから構成されていたが、パッケージングセキュリティに対する要求が増加しているので、印刷デザインに安全対策を施す必要がある。より具体的には、医薬用及び自動車用パッケージングにおいては、伝統的に、ほとんどのアートワークデザインがあらゆる印刷されたセキュリティを何ら含まない無地領域を数多く含んでいる。
【０００５】
本発明の概要
本発明の目的は、可変及び／又は静的な秘密情報に埋め込むべき秘密文書用の改良したセキュリティを提供することである。以下の実施例の全てが、ハードコピィと同様に電子文書を含めて、文書が多くの形を取ることができると理解される。
【０００６】
従って、本発明の一実施例によれば、送信される（例えば、インターネット、エクストラネット、無線、ファクシミリ等を介して）、コピィされる、又はプリンタ等の出力デバイスで成功裏に別に再生される文書中の秘密情報を見えないようにする最新の方法が提供されている。秘密情報は、第１の、及び第２の印刷構造を作り、これらを組み合わせることによって隠される。
【０００７】
また、本発明の別の実施例によれば、意図していないユーザからこの秘密情報を隠すティントが提供されている。この秘密情報は、外見上無地のティントによって視界から隠されており、肉眼で見たとき、複写されたとき、スキャンしたとき、又はデジタル処理で撮影されたときには情報が見えない。何らかの方法で文書を再生又はコピィするどのような試みでも、読むことのできない色領域となる。代替として、肉眼からマスキングした秘密情報を含む文書を実質的に同一のフォームでコピィすることができるが、送信、コピィ、又はその他の再生後でさえ、専用ビューイングデバイスによって視認し得る。
【０００８】
更に、本発明の一実施例によれば、秘密情報をマスキングするステップは、何らかの着色、インク、トナー、又はインクジェット液を用いて行われる。この秘密情報をマスキングするステップは、暗ティント、又は金属粉インク又はＵＶ／ＩＲインクを用いて最も効果的に行われる。このステップは、箔画像の上に特定の頻度で印刷することによって更に効果的に行われる。
【０００９】
加えて、本発明の一実施例によれば、秘密情報をマスキングするステップは、一般的に印刷エレメントと呼ばれるライン、ドット、スポット、渦、又はイメージを単独で又は組み合わせて行われる。この秘密情報をマスキングするステップは、サイズと密度が同じ印刷エレメントを用いて、最も効果的に行われる。
【００１０】
更に、本発明の一実施例によれば、情報を最も効果的にマスキングするために、秘密情報の印刷エレメントを互いにほぼ直交して配置するべきである。最も効果的なスクリーンの配置は、秘密情報用の一の角度と背景用の一の角度が、１３５°／４５°である。
【００１１】
更に、本発明の一実施例によれば、印刷エレメントの角度を設定するステップは、印刷エレメントスクリーンの規定に依存する。印刷エレメントは、１インチ当たり６０ライン乃至５００ラインの間で画像にされ、秘密情報及び周囲の領域について１インチ当たり１５０ラインが最も効果的である。最も一般的に用いられているスクリーン頻度の単位は、１インチ当たりのライン数（「ｌｐｉ」）であるが、ライン以外の印刷エレメントを用いることができ；「ｌｐｉ」は簡便性の問題で依然として頻度の単位として用いられていると理解される。加えて、秘密情報印刷エレメントティントの密度は、１０％乃至５０％、好ましくは２０％又は約２０％である。
【００１２】
加えて、送信、コピィ、又は再生ができない本発明の実施例用には、いくつかの印刷エレメントスクリーン、即ち、６０乃至３００ｌｐｉ、最も好ましくは１２０乃至１９０ｌｐｉが、再生されていないときに最も効果的である。
【００１３】
本発明の実施例によれば、この文書に特に適した専用ビューイングデバイスであって、秘密情報エレメントの頻度にほぼ一致するデバイスを提供する。専用ビューイングデバイスを文書上で秘密情報に対して実質的にフラットに保持すると、秘密情報が明らかになり、一方で背景を目立たなくする。
【００１４】
更に、本発明の一実施例によれば、この専用ビューイングデバイスは、プラスチック、ガラス、又はフィルム基板でできたレンズであってよい。専用ビューイングデバイスは、追加の文書セキュリティに使用した後に容易に破壊されるように設計されている。専用ビューイングデバイスは、秘密情報を見るのに役立つように透明であるか、色が付いているか、又は線が引かれていてもよく、複数のスクリーン領域を見るためのいくつかの区別された領域を含んでもよい。
【００１５】
本発明の方法及びシステムの実装は、手動で、自動で、又はこれらの組み合わせで選択されたタスク又はステップを実行又は完了することを含む。更に、本発明の方法及びシステムの好適な実施例の実際の器具及び機材によれば、いくつかの選択されたステップは、ハードウェアによって、又はあらゆるファームウェアのあらゆるオペレーティングシステム上のソフトウェアによって、又はこれらの組み合わせによって実装できる。例えば、ハードウェアとして、本発明の選択されたステップを、チップ又は回路として実装できる。ソフトウェアとしては、本発明の選択されたステップを、好適なオペレーティングシステムを用いてコンピュータによって実行される複数のソフトウェアの命令として実装できる。いずれの場合も、本発明の方法及びシステムの選択されたステップを、複数の命令を実行するコンピューティングプラットフォーム等のデータプロセッサによって実行されるとして記載することができる。
【００１６】
好ましい実施例の詳細な説明
本発明は、意図していないユーザからの情報をマスキングして、専用ビューイングデバイスを通して情報を見ることができる方法を提供する。
【００１７】
典型的なシナリオでは、本発明によれば、文書内に含まれる秘密情報を特定の受取人に対して伝達したいユーザが、文書に合致し、秘密情報を認識するように設計されたマッチングビューイングデバイスを受取人に提供することができる。秘密情報は、適切なビューイングデバイスが用いられない限り、視界から隠され、アクセスできない。同じ文書のその他の受取人は誰も、視界から隠された秘密情報にアクセスできず、文書中に存在する秘密情報に気付かないか、文書の特定の領域に配置した特定の情報を内々に関知するだけである。
【００１８】
本発明の少なくとも一の実施例を詳細に説明する前に、本発明が、以下の説明で記載された、又は図面に例示された構成の詳細及び構成部品の配置の適用に限定されないことが理解される。本発明は、その他の実施例、又はラミネート又はホログラフィック箔等の様々な方法で実行又は実施することができる。また、本明細書で用いられている表現及び用語は、説明のためであり、限定と考えるべきではない。
【００１９】
図１を参照すると、秘密文書フォーム１００は、秘密情報１０１と、背景１０２と、記入領域１０５を具える。また、専用ビューイングデバイス１１０が示されている。
【００２０】
本発明の一実施例では、ユーザは以下に詳細に記載するように、背景１０２内に秘密情報１０１を挿入する。次いで、秘密情報１００は、送信、コピィ、又はその他出力デバイス（図示せず）によって成功裏に再生することができる。出力デバイスはコピィ機、スキャナ、ファックス等であってよい。
【００２１】
典型的なシナリオでは、インターネット上で秘密情報１０１を送りたい人が、コンピュータ上の記入領域１０５を有するフォーム１００を用いる。秘密情報１０１は、フォーム１００を完成する人及び／又はフォーム１００の受取人によって、記入領域１０５に入力される。この人及び／又は受取人は送られてきた詳細の少なくともいくらかの部分を秘密にしておくことを望んでいる。記入領域１０５内への秘密情報１０１の入力中又は入力に続いて、秘密情報１０１は、以下に説明し、図２及び３に示すように文書１００の背景領域１０２中に埋め込まれる。次いで、フォーム１００は、例えばインターネット、又はファクシミリ等の電子的手段を介して送信することができる。本発明の一実施例では、フォーム１００は、中間又は末端サービスに送る。ここで、入力領域１０５中の目に見える情報は、専用ビューイングデバイス１１０によって見るために、背景１０２に隠された情報のみを残して除かれている。
【００２２】
専用ビューイングデバイス１１０は、秘密情報１０１の印刷情報頻度に一致する印刷エレメント頻度を有するプラスチック、ガラス又はフィルムでできたレンズである。専用ビューイングデバイス１１０は、透明であるか、色が付いているか、又は線が引かれていてもよく、複数のスクリーン領域を見るためのいくつかの区別された領域を含んでもよい。
【００２３】
操作用に、専用ビューイングデバイス１１０は、見るための秘密情報１１０に対して簡単に保持されている。専用ビューイングデバイス１１０の使用は、図１に示すように、秘密情報１０１を見る一方で、背景１０２のイメージの外観を白っぽく、又は目立たなくすることができる。
【００２４】
専用ビューイングデバイス１１０は、更に文書セキュリティを確実にするために使用後に容易に破壊できるように設計されている。
【００２５】
本発明の代替の実施例では、背景領域１０２内に秘密情報をマスキングする間、又は隠した後、視認可能な情報が、フォーム１００から消えて、従って秘密にすることを意図した情報がない電子文書を表示する。ブランクで表示される記入領域１０５では、意図しない視認者は秘密情報１０１へのアクセスをも有しない。次いで、意図したユーザは、専用ビューワ１１０を用いて背景領域１０２に埋め込まれた秘密情報を見ることができる。最も好ましくは、秘密情報１０１及び背景１０２は、ミネソタ州メイプルグルーブ所在のＤｉｇｉＣｏｍｐ社によるＱｕａｒｋ  Ｘｐｒｅｓｓ用のＦｏｒｍ  Ｘ６等のソフトウェアプログラムを用いることによって作成することができる。
【００２６】
図２を参照すると、図２は、秘密情報２０１をマスキングするために実質的に互いに異なる角度の実線２０１及び２０２を有する本発明の一実施例の簡略図である。一般的な視界から秘密情報２０１を隠したいユーザは、秘密情報印刷エレメントに、この場合は、実線２０１、また背景印刷エレメントを、この場合は、実線２０２を互いに実質的に異なる角度で配置することができる。秘密情報２０１の印刷エレメントは、軸ｘ２を規定し、背景２０２の印刷エレメントは、軸ｙ２を規定している。軸ｘ１と軸ｙ１との間の角度ｂは、図２に示すように、好ましくは９０°プラス又はマイナス５°であるが、実際には大きく変化することができる。もちろん、秘密情報印刷エレメント２０１及び背景印刷エレメント２０２は、ドット、スポット、渦、又はイメージ（図示せず）を単独で又は組み合わせて置き換えることができる。
【００２７】
図３は、それぞれ秘密情報３０１及び背景３０２の印刷エレメントとして実線を有する図１及び２と同様の本発明３００の一実施例の簡略図である。印刷エレメント３０１及び３０２によって規定される軸ｘ３及びｙ３は、秘密情報をマスキングするために、角度ｃ、この場合も先と同様に好ましくは９０°プラス又はマイナス５°で配置されている。更に、印刷コード３０３が、好ましくは角度ｃの頂点に挿入されている。印刷コードは、更なるセキュリティ、著作者認証等に用いることができる。印刷コード３０３は、図３中では小文字の「ｗ」として示されるが、限定はされないが、ライン、ドット、スポット、渦、イメージ等のあらゆる印刷エレメントで構成することができる。
【００２８】
図４は、本発明の別の実施例の簡略図であり、秘密情報４０２が、秘密情報４０２が容易にスキャン、又はコピィされない。破線で示す秘密情報印刷エレメント４０２は、図４中で実線で示す無地背景４０１と共に用いられる。適切なティントを選択することによって、印刷エレメント４０１を、無地背景４０１に隠すことができ、後に専用ビューイングデバイス（図示せず）を用いて見ることができる。より暗いティントが実線の背景４０１に好ましく、色の付いたティントが秘密情報印刷エレメント４０２に好ましい。
【００２９】
図４に示すような秘密情報４０２を分離したいと考えているユーザは、ティント、色、紙基材着色又は箔で秘密情報印刷エレメント４０２を覆う、又はこれらを下に置くことができる。この態様で示される情報は、無地のティントのように見える。秘密情報４０２は、暗色、金属粉インク、及び／又はＵＶインクの使用を通して最も効果的に隠すことができる。ユーザは、ダーク又は金属インク又はＵＶ／ＩＲインクに加えて、無地の印刷された又は色付けされた背景又は色紙を用いることを選択できる。例えば、ユーザは、赤色の紙上に青色インク、又はメタリックブルー無地領域上に赤色で印刷することを選択ができる。
【００３０】
メタリックベースのティントは、秘密情報を更にマスキングする反対色で刷り重ねられる。情報を作るために用いられるＵＶ及びＩＲリンクは、プラスチック又はガラスのビューワが文書上に置かれるときに、イメージの半分が見え、ＵＶ又はＩＲ光が文書上のビューイングデバイスを通して示されると、イメージの残りが現れるように配置される。このような方法で、追加の「コード」を第２のメッセージとして隠すことができる。
【００３１】
上記の全実施例では、文書の受取人に対して秘密情報を明らかにすることを選択したユーザが、図１の符号１１０で示すような専用ビューイングデバイスを受取人に提供する。文書の複数領域を用いて秘密情報１０１の複数部分を隠し、異なる受取人が秘密情報１０１の別の領域を見るようにしている場合、ユーザは、それぞれが、異なる秘密情報に一致するように設計されている異なるビューイングデバイス１１０を文書の各受取人に提供する。このプロセスは、第１の受取人用の秘密情報印刷エレメントとしてドット、及び第２の受取人用の秘密情報印刷エレメントとしてライン等の様々なスクリーン頻度又は様々なスクリーンプリントエレメントを用いることによって達成される。代替として、ティント背景を含む文書のページが送信され、半透明のオーバレイに印刷された個々の秘密情報を送信されて、このオーバレイが背景スクリーンを覆うと秘密情報を読むことができる。
【００３２】
本発明の更なる目的、利点、及び新規な特徴は、以下の例で当業者に明らかになる。こられの例は限定することを意図していない。更に、上記で明確になり、以下の特許請求の範囲で請求されるような本発明の種々の各実施例及び態様は、以下の例で実験的証拠を見出す。
【００３３】
明確にするために、個々の実施例のコンテキストに記載されている本発明のある特徴は、１つの実施例中で組み合わせて提供されていることも理解される。逆に、簡潔にするために、一の実施例のコンテキストに記載されている本発明の様々な特徴は、第１の、第２の、又は第３の印刷エレメント頻度及び／又はインクメイクアップで、更なる秘密情報も含む文書に恒久的に貼ったラミネートビューイングデバイスによって部分的に見えるようになる特定の秘密情報を有する文書等を、個別に又はあらゆる好適なサブコンビネーションでも提供している。
【００３４】
本発明は、これらの特定の実施例と共に記載されているが、多くの代替例、修正例及び変形例が添付の特許請求の範囲の精神及び広い範囲内に含まれることが明白である。各個々の公報、特許又は特許出願が参照することによって本明細書中に組み込まれるように特定に及び個々に指定された場合と同様に、本明細書に記載されている全ての公開公報、特許及び特許出願は、本明細書中に参照されることによってその全体が組み込まれる。更に、本明細書のあらゆる参照の引用又は同一化は、このような参照が本発明の先行技術として可能であるという自白として解釈されるべきではない。
【図面の簡単な説明】
【００３５】
本発明は、図面と共に以下の詳細な説明から完全に理解される。
【００３６】
【図１】図１は、秘密情報が専用ビューイングデバイスを通して見えるようにした本発明の一実施例の図である。
【図２】図２は、背景の実線に対して異なる角度で配置した秘密情報の実線の概略図である。
【図３】図３は、印刷コードを含む秘密情報の実線の概略図である。
【図４】図４は、秘密情報の印刷要素を有する無地のティント背景を用いた本発明の別の実施例の概略図である。
【図１】
2009504094.tif 000002
【図２】
2009504094.tif 000003
【図３】
2009504094.tif 000004
【図４】
2009504094.tif 000005
【国際調査報告】
2009504094.tif 000006
2009504094.tif 000007
2009504094.tif 000008
2009504094.tif 000009
2009504094.tif 000010